(57)【要約】【課題】倒した背もたれが突出しないようにする。倒した背もたれが不用意に起き上がるのを防止する。【解決手段】背もたれ２を前方に倒すと共に倒した状態から後方に起こすことができ、且つ少なくとも背もたれ２を前方に倒し終える直前には背もたれ２を後方に移動させることができるように背もたれ２の側部２ｂを固定部に連結する連結機構３と、背もたれ２の側部２ｂに設けられたフォロワ４と、固定部に設けられてフォロワ４を案内するガイド５を備え、ガイド５は、背もたれ２の倒し始めにフォロワ４を円弧状に案内する円弧状部５ａと、背もたれ２の倒し終わりにフォロワ４を後方に向けて案内する荷重受け部５ｂとを有し、荷重受け部５ｂはフォロワ４を下から支持するように構成している。【選択図】図１
2006326040.tif 000002
【特許請求の範囲】
【請求項１】
座の上に背もたれを倒してその背面を上に向けることが可能なベッド兼用ソファーにおいて、前記背もたれを前方に倒すと共に倒した状態から後方に起こすことができ、且つ少なくとも前記背もたれを前方に倒し終える直前には前記背もたれを後方に移動させることができるように前記背もたれの側部を固定部に連結する連結機構と、前記背もたれの側部に設けられたフォロワと、前記固定部に設けられて前記フォロワを案内するガイドを備え、前記ガイドは、前記背もたれの倒し始めに前記フォロワを円弧状に案内する円弧状部と、前記背もたれの倒し終わりに前記フォロワを後方に案内する荷重受け部とを有し、前記荷重受け部は前記フォロワを下から支持することを特徴とするベッド兼用ソファー。
【請求項２】
前記連結機構は前記背もたれの側部と前記固定部に揺動自在に連結されたリンクであることを特徴とする請求項１記載のベッド兼用ソファー。
【請求項３】
前記背もたれを倒し終える直前に前記フォロワに当たり、前記背もたれを倒した状態では前記フォロワによって弾性変形されている第１の弾性部材と、前記背もたれを起こし終える直前に前記フォロワに当たり、前記背もたれを起こした状態では前記フォロワによって弾性変形されている第２の弾性部材とを備えることを特徴とする請求項１又は２記載のベッド兼用ソファー。
【請求項４】
前記背もたれと前記固定部との間にダンパを設けたことを特徴とする請求項１から３のいずれか１つに記載のベッド兼用ソファー。
【発明の詳細な説明】
【技術分野】
【０００１】
本発明は、背もたれを倒すことでベッドに変形するベッド兼用ソファーに関する。さらに詳しくは、ベッド兼用ソファーの背もたれを倒したり起こしたりする構造の改良に関するものである。
【背景技術】
【０００２】
１台でソファーとしてもベッドとしても使える便利な家具として、ベッド兼用ソファーがある。ベッド兼用ソファーは、ソファーの背もたれを倒してベッドに変形させる。また、倒した背もたれを起こすことでソファーに戻すことができる。
【０００３】
ベッド兼用ソファーとして、例えば実公平１−３０９３０号公報に開示されたものがある。このベッド兼用ソファーでは、図９〜図１１に示すように、背もたれ１０１に固定リンク１０２を固着し、固定リンク１０２をリンク１０３でフレーム１０４に、リンク１０５でフレーム１０６にそれぞれ連結している。図９に示すソファー状態から背もたれ１０１を前方に倒すと、リンク１０３は斜め前方に揺動し、その分だけ背もたれ１０１が前方に移動する。また、背もたれ１０１を前方に倒す際には背もたれ１０１を一旦上に引き上げる必要があるが、その際、ばね部材１０７によって背もたれ１０１の重量負荷を軽減するようにしている。
【０００４】
また、図１０及び図１１に示すベッド状態では、背もたれ１０１の上部（ベッド床面１０８の前側の部分）は座１１０によって支持され、背もたれ１０１の下部（ベッド床面１０８の後側の部分）はストッパ１０９に度当たりしているリンク１０５によって支持されている。
【０００５】
【特許文献１】実公平１−３０９３０号
【発明の開示】
【発明が解決しようとする課題】
【０００６】
しかしながら、上述のベッド兼用ソファーでは、背もたれ１０１を前方に倒す際、リンク１０３が斜め前方に揺動するので、その分だけ背もたれ１０１が前方に移動する。このため、図１１に示すように背もたれ１０１が前方に突出し、全体として前後幅が広くなってしまう。
【０００７】
また、倒した背もたれ１０１の後端部分に座る等して下向きの強い力Ｆ（図１０）が作用すると、背もたれ１０１が不用意に起き上がってしまうのではないかとの不安もある。
【０００８】
本発明は、前方への移動を伴わずに背もたれを倒すことができると共に、倒した背もたれが不用意に起き上がることがないベッド兼用ソファーを提供することを目的とする。
【課題を解決するための手段】
【０００９】
かかる目的を達成するために、請求項１記載の発明は、座の上に背もたれを倒してその背面を上に向けることが可能なベッド兼用ソファーにおいて、背もたれを前方に倒すと共に倒した状態から後方に起こすことができ、且つ少なくとも背もたれを前方に倒し終える直前には背もたれを後方に移動させることができるように背もたれの側部を固定部に連結する連結機構と、背もたれの側部に設けられたフォロワと、固定部に設けられてフォロワを案内するガイドを備え、ガイドは、背もたれの倒し始めにフォロワを円弧状に案内する円弧状部と、背もたれの倒し終わりにフォロワを後方に案内する荷重受け部とを有し、荷重受け部はフォロワを下から支持するものである。
【００１０】
したがって、背もたれの動きは連結機構とフォロワ及びガイドとによって決められる。背もたれを起こしているソファーの状態から背もたれを前方に倒すと、背もたれの動きに伴いフォロワがガイドの円弧状部から荷重受け部へと移動する。円弧状部ではフォロワは円弧状に移動するので、背もたれは弧を描くようにして前方へと倒れる。そして、荷重受け部ではフォロワは後方に移動するので、背もたれは倒れながら後方へと移動する。これにより、ソファーがベッドへと変形する。ベッド状態では、倒した背もたれの後端部分（起こした状態では下端部分）に下向きの力が作用するとフォロワが下に押される。この状態でフォロワが下に移動すると背もたれが起き上がることになるが、本発明では荷重受け部がフォロワを下から支えているので、フォロワが下に移動することがない。
【００１１】
一方、倒した背もたれを後方に起こすと、倒した時とは逆にフォロワがガイドの荷重受け部から円弧状部へと移動する。これにより、倒した時とは逆の動作で背もたれを起こすことができる。
【００１２】
また、請求項２記載のベッド兼用ソファーは、連結機構が背もたれの側部と固定部に揺動自在に連結されたリンクである。したがって、固定部に対してリンクが揺動することで、又はリンクに対して背もたれが揺動することで、あるいはこれらの両方の動作によって、背もたれを前方に倒したり後方に起こしたりすることができると共に、背もたれの後方への移動が可能になる。
【００１３】
また、請求項３記載のベッド兼用ソファーは、背もたれを倒し終える直前にフォロワに当たり、背もたれを倒した状態ではフォロワによって弾性変形されている第１の弾性部材と、背もたれを起こし終える直前にフォロワに当たり、背もたれを起こした状態ではフォロワによって弾性変形されている第２の弾性部材とを備える
ものである。
【００１４】
ソファーの状態から背もたれを前方に倒すと、フォロワはガイドに案内されて移動する。ソファーを倒し終える直前にフォロワは第１の弾性部材に当たるので、第１の弾性部材によってフォロワを弾性的に受け止めることができる。また、倒した背もたれを起こす際、第１の弾性部材がフォロワをその移動方向に押し出すアシスト力を発揮する。
【００１５】
同様に、ベッドの状態から背もたれを後方に起こすと、フォロワはガイドに案内されて移動する。ソファーを起こし終える直前にフォロワは第２の弾性部材に当たるので、第２の弾性部材によってフォロワを弾性的に受け止めることができる。また、起こした背もたれを倒す際、第２の弾性部材がフォロワをその移動方向に押し出すアシスト力を発揮する。
【００１６】
さらに、請求項４記載のベッド兼用ソファーは、背もたれと固定部との間にダンパを設けたものである。したがって、背もたれが勢いよく動くのを防止することができる。
【発明の効果】
【００１７】
請求項１記載のベッド兼用ソファーでは、背もたれを前方に倒すと共に倒した状態から後方に起こすことができ、且つ少なくとも背もたれを前方に倒し終える直前には背もたれを後方に移動させることができるように背もたれの側部を固定部に連結する連結機構と、背もたれの側部に設けられたフォロワと、固定部に設けられてフォロワを案内するガイドを備え、ガイドは、背もたれの倒し始めにフォロワを円弧状に案内する円弧状部と、背もたれの倒し終わりにフォロワを後方に案内する荷重受け部とを有し、荷重受け部はフォロワを下から支持するようにしているので、連結機構とフォロワ及びガイドとによって決められた動きで背もたれを倒したり起こしたりすることができ、ソファーからベッドへ、ベッドからソファーへと変形させることができる。ソファーからベッドへと変形させる際、単純にリンクを揺動させて背もたれを前方に倒す構造ではリンクが前方に揺動する分だけ背もたれが前方に移動し、その分だけ前方に突出してしまう。しかしながら、本発明ではガイドの荷重受け部によってフォロワを後方に案内することで、背もたれを倒し終える前に背もたれを後方に移動させている。このため、倒した背もたれが前方に突出してベッドが幅広になるのを防止することができ、背もたれを座にぴったりと重ねることができるので、設置に場所をとらないようにすることができる。
【００１８】
また、背もたれを前方に倒すようにしており、しかも後方に突出部分ができるような構造でもないので、背もたれを壁に近づけて設置してもベッドに変形させることができる。即ち、壁際に設置することができ、部屋のスペースを有効に利用できる。
【００１９】
また、ベッドの状態では、ガイドの荷重受け部がフォロワを支えており荷重を受けるので、フォロワに下向きの力が作用してもフォロワが下方に移動することがない。このため、倒した背もたれの後端部分に座る等して下向きの強い力が作用しても、背もたれが不用意に起き上がることがない。
【００２０】
また、請求項２記載のベッド兼用ソファーでは、連結機構が背もたれの側部と固定部に揺動自在に連結されたリンクであるので、簡単な構造で連結機構を成立させることができる。
【００２１】
また、請求項３記載のベッド兼用ソファーでは、背もたれを倒し終える直前にフォロワに当たり、背もたれを倒した状態ではフォロワによって弾性変形されている第１の弾性部材と、背もたれを起こし終える直前にフォロワに当たり、背もたれを起こした状態ではフォロワによって弾性変形されている第２の弾性部材とを備えているので、背もたれを倒したり起こしたりする際、動きの最終段階で制動をかけることができると共に、弾性的に受け止めるクッションが構成されることになり、背もたれが勢いよく度当たりするのを防止することができる。また、背もたれの動き始めの段階では第１及び第２の弾性部材によってアシスト力が発揮されるので、ソファーからベッドへの変形、ベッドからソファーへの変形を軽い力で行うことができる。これらのため、使い勝手をより一層向上させることができると共に、高級感を演出することができる。
【００２２】
さらに、請求項４記載のベッド兼用ソファーでは、背もたれと固定部との間にダンパを設けているので、背もたれが勢いよく動くのを防止することができる。
【発明を実施するための最良の形態】
【００２３】
以下、本発明の構成を図面に示す最良の形態に基づいて詳細に説明する。
【００２４】
図１〜図８に、本発明のベッド兼用ソファーの実施形態の一例を示す。ベッド兼用ソファーは、座１の上に背もたれ２を倒してその背面２ａを上に向けることが可能なものであって、背もたれ２を前方に倒すと共に倒した状態から後方に起こすことができ、且つ少なくとも背もたれ２を前方に倒し終える直前には背もたれ２を後方に移動させることができるように背もたれ２の側部２ｂを固定部に連結する連結機構３と、背もたれ２の側部２ｂに設けられたフォロワ４と、固定部に設けられてフォロワ４を案内するガイド５を備え、ガイド５は、背もたれ２の倒し始めにフォロワ４を円弧状に案内する円弧状部５ａと、背もたれ２の倒し終わりにフォロワ４を後方に向けて案内する荷重受け部５ｂとを有し、荷重受け部５ｂはフォロワ４を下から支持するものである。
【００２５】
固定部は動かない部分であり、本実施形態では座１と脚６と肘掛け７である。つまり、動く背もたれ２に対し、固定部は動かない部分であり、動く背もたれ２は動かない固定部に取り付けられている。
【００２６】
脚６は座１の左右両側にそれぞれ設けられており、脚ユニット８とこれを覆う表皮部材９より構成されている。脚ユニット８は、前後２本の脚体１０と、各脚体１０を連結する２本のフレーム１１，１２と、脚体１０，１０とフレーム１１，１２とで構成される枠体に取り付けられた側板１３より構成されている。左右の脚ユニット８の側板１３間には２本の座フレーム１４，１４が固定されており、座フレーム１４，１４上には座１が固定されている。また、脚ユニット８の上には肘掛け７が固定されている。
【００２７】
背もたれ２は、倒した状態で座１の上面にぴったりと重なり、且つ背面２ａが肘掛け７の上面よりも若干低くなる形状を成している。背もたれ２は、連結機構３とフォロワ４及びガイド５によって固定部に連結されている。つまり、ベッド兼用ソファーは２つの連結機構３と２組のフォロワ４及びガイド５を有しており、背もたれ２の左右の側部２ｂを連結機構３とフォロワ４及びガイド５によって左右の脚ユニット８に連結している。なお、左右の連結機構３は同じ構造であり、一方の連結機構３について説明し、他方の連結機構３についての説明を省略する。同様に、左右のフォロワ４及びガイド５は同じ構造であり、一方のフォロワ４及びガイド５について説明し、他方のフォロワ４及びガイド５についての説明を省略する。
【００２８】
連結機構３は、例えば背もたれ２の側部２ｂと固定部としての脚ユニット８の側板１３に揺動自在に連結されたリンクである。リンク３は、例えば中央でほぼ直角に曲げられた形状を成している。
【００２９】
ガイド５は、例えば側板１３に形成された長孔であり、円弧状部５ａとその上に連続する荷重受け部５ｂより構成されている。円弧状部５ａと荷重受け部５ｂは互いに逆方向に湾曲する円弧状を成しており、ガイド５は全体としてＳ字形状をなしている。円弧状部５ａの曲率中心は、例えば連結機構３と側板１３とを連結する連結軸１５に一致している。また、荷重受け部５ｂの上端部分（後端部分）は水平になっている。
【００３０】
背もたれ２の下部前面には、長手方向に沿ってパイプ１６が取り付けられている。パイプ１６は、例えば４つのブラケット１７，１８，１９，２０によって固定されている。パイプ１６の両端は背もたれ２の側面よりも突出しており、ガイド５内に挿入されている。パイプ１６の両端の突出部分がガイド５に案内されるフォロワ４である。
【００３１】
ベッド兼用ソファーは、背もたれ２を倒し終える直前にフォロワ４に当たり、背もたれ２を倒した状態ではフォロワ４によって弾性変形されている第１の弾性部材２１と、背もたれ２を起こし終える直前にフォロワ４に当たり、背もたれ２を起こした状態ではフォロワ４によって弾性変形されている第２の弾性部材２２とを備えている。本実施形態では、第１及び第２の弾性部材２１，２２として、例えばねじりコイルばねを使用している。第１の弾性部材２１のばね座２３はガイド５の上端近傍に配置され、側板１３に取り付けられている。第１の弾性部材２１の基端はばね座２３に固定され、先端２１ａはガイド５の上端近傍位置を横切るように伸びている。第２の弾性部材２２のばね座２４はガイド５の下端近傍に配置され、側板１３に取り付けられている。第２の弾性部材２２の基端はばね座２４に固定され、先端２２ａはガイド５の下端近傍位置を横切るように伸びている。第１及び第２の弾性部材２１，２２は、例えば金具３０，３２によって覆われている。金具３０，３２には調整ねじ３１，３３が設けられている。調整ねじ３１，３３の先端は第１の弾性部材２１，第２の弾性部材２２の基端に当たっている。調整ねじ３１，３３を回転させて金具３０，３２に対する先端の突出量を変化させることで、第１の弾性部材２１，第２の弾性部材２２に付与する予荷重を変化させることができ、第１及び第２の弾性部材２１，２２のばねとしての硬さを調整することができる。
【００３２】
また、ベッド兼用ソファーは、背もたれ２と固定部との間にダンパ２５を設けている。本実施形態では、背もたれ２と固定部としての座１との間にダンパ２５を設けている。座１の底面には座側ブラケット２６が、背もたれ２に取り付けられたパイプ１６には背側ブラケット２７がそれぞれ取り付けられている。座側ブラケット２６には第１のリンク２８の一端が揺動自在に連結されており、第１のリンク２８の他端には第２のリンク２９の一端が揺動自在に連結されている。第２のリンク２９の他端は背側ブラケット２７に揺動自在に連結されている。ダンパ２５は座側ブラケット２６の下端位置と第１のリンク２８の中央位置との間に設けられており、座側ブラケット２６に対して第１のリンク２８が揺動する際に抵抗力を発揮する。
【００３３】
次に、ベッド兼用ソファーの変形について説明する。
【００３４】
背もたれ２の動きは連結機構３とフォロワ４及びガイド５とによって決められる。図１に示すソファーの状態ではフォロワ４はガイド５の一番下の部分に位置しており、フォロワ４は第２の弾性部材２２を弾性変形させている。この状態から背もたれ２を前方に倒すと、連結機構３が連結軸１５を中心に揺動し、フォロワ４が円弧状部５ａに案内されて斜め上方に移動する。フォロワ４が動き始める時には、第２の弾性部材２２が元の形状に戻ろうとしてフォロワ４を押す。このため、軽い力で背もたれ２を倒し始めることができる。
【００３５】
背もたれ２を倒し始めると、リンクは矢印Ａ方向に揺動する。そして、フォロワ４がガイド５の円弧状部５ａと荷重受け部５ｂとの境界部分Ｂに達すると、リンクは最も高い位置まで揺動する。その後、フォロワ４が荷重受け部５ｂへと進むと、リンクは図６中矢印Ｃ方向に揺動する。これにより、背もたれ２は起こし終える直前の段階で後方にずれるような動きをする。
【００３６】
また、フォロワ４がガイド５の上端近傍位置に達すると第１の弾性部材２１に当たり、以降、フォロワ４は第１の弾性部材２１を撓ませながら進む。これにより、フォロワ４の移動にブレーキがかかると共にフォロワ４が弾性的に受け止められることになり、背もたれ２が勢いよく度当たりするのを防止することができる。
【００３７】
また、背もたれ２の動きに従動して背側ブラケット２７も移動し、第２のリンク２９を後方に引っ張るので、第１のリンク２８が揺動してダンパ２５を伸縮させる。ダンパ２５は第１のリンク２８の揺動抵抗力を発生させるので、第１のリンク２８の急激な揺動が防止される。したがって、第１のリンク２８に第２のリンク２９及び背側ブラケット１７を介して連結されている背もたれ２の急激な動きも防止され、背もたれ２を適切な速度で倒すことができる。
【００３８】
このように背もたれ２を最後まで倒すことで、ソファーをベッドに変形することができる。この状態では、フォロワ４はガイド５の荷重受け部５ｂに移動している。荷重受け部５ｂは水平に形成されているので、フォロワ４を下から支えることができる。このため、倒した背もたれ２の後端部分２ｃに座る等して下向きの強い力Ｆが作用しても、フォロワ４が下に動いて背もたれ２が不用意に起き上がることはない。
【００３９】
ソファー形状に戻す場合には、倒した背もたれ２を後方に起こせばよい。フォロワ４は、背もたれ２を倒した時とは逆にガイド５の荷重受け部５ｂから円弧状部５ａへと移動する。フォロワ４が動き始める時には、第１の弾性部材２１が元の形状に戻ろうとしてフォロワ４を押す。このため、軽い力で背もたれ２を起こし始めることができる。
【００４０】
背もたれ２を起こし始めると、フォロワ４がガイド５の荷重受け部５ｂと円弧状部５ａとの境界部分に達するまではリンクは図６中矢印Ａ方向に一旦揺動する。そして、フォロワ４がガイド５の円弧状部５ａへと進むと、リンクは図６中Ｃ方向に揺動する。
【００４１】
また、フォロワ４がガイド５の下端近傍位置に達すると第２の弾性部材２２に当たり、以降、フォロワ４は第２の弾性部材２２を撓ませながら進む。これにより、フォロワ４の移動にブレーキがかかると共にフォロワ４が弾性的に受け止められることになり、背もたれ２が勢いよく度当たりするのを防止することができる。
【００４２】
また、背もたれ２の動きに従動して背側ブラケット２７も移動し、第２のリンク２９を前方に押し出すので、第１のリンク２８が揺動してダンパ２５を伸縮させる。ダンパ２５は第１のリンク２８の揺動抵抗力を発生させるので、第１のリンク２８の急激な揺動が防止される。したがって、第１のリンク２８に第２のリンク２９を介して連結されている背もたれ２の急激な動きも防止され、背もたれ２を適正な速度で起こすことができる。
【００４３】
本発明のベッド兼用ソファーでは、ソファーからベッドへと変形させる際、ガイド５の荷重受け部５ｂによってフォロワ４を後方に案内し、倒し終える前に背もたれ２を後方に移動させている。このため、倒した背もたれ２が前方に突出するのを防止することができ、ベッドが幅広になるのを防止することができる。このため、設置に場所をとられない。
【００４４】
また、ベッドの状態ではフォロワ４がガイド５の荷重受け部５ｂに移動しているので、フォロワ４を下から支えることができ、倒した背もたれ２の後端部分２ｃに座る等して下向きの強い力Ｆが作用しても、フォロワ４が下に動くのを防止でき、背もたれ２が不用意に起き上がってしまうのを防止することができる。
【００４５】
また、背もたれ２を前方に倒すようにしており、しかも後方に突出部分ができるような構造でもないので、背もたれ２を壁に近づけて設置してもベッドに変形させることができる。即ち、ソファーの状態とベッドの状態とで背もたれ２の後方への突出量は殆ど変化しないので、ベッド兼用ソファーを壁際に設置することができ、部屋のスペースを有効に利用するできる。
【００４６】
また、連結機構３をリンクによって構成しているので、その構造が単純なものとなり、部品点数を少なくでき、製造コストを安くすることができると共に故障が少ない。
【００４７】
また、第１の弾性部材２１と第２の弾性部材２２を備えているので、背もたれ２を倒したり起こしたりする際、背もたれ２が勢いよく度当たりするのを防止することができる。また、背もたれ２の動き始めの段階ではアシスト力が発揮されるので、ソファーからベッドへの変形、ベッドからソファーへの変形を軽い力で行うことができる。これらのため、使い勝手をより一層向上させることができると共に、高級感を演出することができる。
【００４８】
さらに、背もたれ２と座１との間にダンパ２５を設け、座側ブラケット２６に対して第１のリンク２８が揺動する際の抵抗力を発揮させるようにしているので、背もたれ２が勢いよく倒れたり起きたりするのを防止することができる。このことからも、使い勝手をより一層向上させることができると共に、高級感を演出することができる。
【００４９】
本発明のベッド兼用ソファーは、例えば病院・医院等の診察室に設置して診察台兼用ソファーとして使用するのに特に適している。即ち、倒した背もたれ２が前方に突出しないので、診察台の床面に段差が生じることがなく、診察用ベッド（診察台）として使用するのに適している。また、診察ベッドが幅広になるのを防止できるので診察室への設置に適しており、しかも壁際に設置することができるので、このことからも診察室での使用に適している。近年、インフォームド・コンセントが重要視され、医学的処置や治療に関する情報の説明を行う必要性がさらに増している。背もたれ２を倒せば診察台として使用でき、背もたれ２を起こせばソファーとして使用できるので、１台で診察と説明・会話の両方の用途に使用することができて大変便利である。また、患者はソファーに腰掛けながら医師から説明を受けることができるので、診察用の椅子に腰掛けながら医師の説明を受けるのに比べ、リラックスした状態で説明を受けることができる。このようにインフォームド・コンセントに適した家具である。
【００５０】
なお、上述の形態は本発明の好適な形態の一例ではあるがこれに限定されるものではなく本発明の要旨を逸脱しない範囲において種々変形実施可能である。例えば、上述の説明では、第１の弾性部材２１と第２の弾性部材２２の両方を備えていたが、第１の弾性部材２１と第２の弾性部材２２との両方、又はいずれか一方を省略しても良い。
【００５１】
また、上述の説明では、ダンパ２５を設けていたが、ダンパ２５を省略しても良い。
【００５２】
また、上述の説明では、連結機構３をリンクによって構成していたが、リンク以外の機構で連結機構３を構成しても良い。つまり、背もたれ２を前方に倒すと共に倒した状態から後方に起こすことができ、且つ少なくとも背もたれ２を前方に倒し終える直前には背もたれ２を後方に移動させることができる機構であればリンク以外の機構でも良く、例えばスライダとガイドの組み合わせ等によって連結機構３を構成しても良い。
【００５３】
また、上述の説明では、ガイド５は孔であったが、孔に限るものではなく、例えば溝等であっても良い。
【００５４】
また、上述の説明では、ガイド５の円弧状部５ａの曲率中心を連結機構３と側板１３とを連結する連結軸１５に一致させ、連結軸１５を中心に背もたれ２を倒したり起こしたりするように回動させていたが、必ずしも連結軸１５を中心に背もたれ２を回動させる必要はなく、例えば、連結軸１５以外の点を中心に背もたれ２を回動させるようにしても良く、また、回動の中心点が移動するものであっても良い。
【図面の簡単な説明】
【００５５】
【図１】本発明のベッド兼用ソファーの実施形態の一例を示し、ソファー状態における連結機構、フォロワ及びガイドの位置関係を示す図である。
【図２】図１のベッド兼用ソファーのソファー状態を示し、脚の表皮部材を取り除いて脚ユニットを露出させた状態の側面図である。
【図３】図１のベッド兼用ソファーのソファー状態を示し、座の前部を切断した様子を示す正面図である。
【図４】図１のベッド兼用ソファーのソファー状態を示す平面図である。
【図５】図１のベッド兼用ソファーの連結機構、フォロワ及びガイドの位置関係を示し、背もたれを倒す途中の様子を示す図である。
【図６】図１のベッド兼用ソファーを示し、ベッド状態における連結機構、フォロワ及びガイドの位置関係を示す図である。
【図７】図１のベッド兼用ソファーのソファー状態を示す斜視図である。
【図８】図１のベッド兼用ソファーのベッド状態を示す斜視図である。
【図９】従来のベッド兼用ソファーのソファー状態におけるリンク機構を示す側面図である。
【図１０】従来のベッド兼用ソファーのベッド状態におけるリンク機構を示す側面図である。
【図１１】従来のベッド兼用ソファーのベッド状態の斜視図である。
【符号の説明】
【００５６】
１  座
２  背もたれ
２ａ  背もたれの背面
３  リンク（連結機構）
４  フォロワ
５  ガイド
５ａ  円弧状部
５ｂ  荷重受け部
１３  側板（固定部）
２１  第１の弾性部材
２２  第２の弾性部材
２５  ダンパ
【図１】
2006326040.tif 000003
【図２】
2006326040.tif 000004
【図３】
2006326040.tif 000005
【図４】
2006326040.tif 000006
【図５】
2006326040.tif 000007
【図６】
2006326040.tif 000008
【図７】
2006326040.tif 000009
【図８】
2006326040.tif 000010
【図９】
2006326040.tif 000011
【図１０】
2006326040.tif 000012
【図１１】
2006326040.tif 000013